【手続補正書】
【提出日】平成17年7月22日(2005.7.22)
【手続補正１】
【補正対象書類名】明細書
【補正対象項目名】特許請求の範囲
【補正方法】変更
【補正の内容】
【特許請求の範囲】
【請求項１】
撮像手段と、
マイクロフォンと、
装置外部より画像データと音声データとを入力する入力手段と、
移動機構により記録素子をディスク状記録媒体の半径方向に移動して、画像データと音声データとを前記ディスク状記録媒体に記録する記録手段と、
第１の制御プロファイルと、前記第１の制御プロファイルよりも高速に前記記録素子を移動するための第２の制御プロファイルのうちの一つを選択し、前記選択した制御プロファイルに基づいて前記移動機構を制御する制御手段と、
前記制御手段が前記第１の制御プロファイルに従って前記移動機構を制御し、前記撮像手段により得られた画像データと前記マイクロフォンにより得られた音声データとを前記記録手段により前記記録媒体に記録する第１の記録モードと、前記制御手段が前記第２の制御プロファイルに従って前記移動機構を制御し、前記入力手段により得られた画像データと音声データとを前記記録手段により前記記録媒体に記録する第２の記録モードを含む複数のモードの間でモードを設定するモード設定手段とを備える記録装置。
【請求項２】
撮像手段と、
マイクロフォンと、
前記撮像手段により得られた画像データと前記マイクロフォンにより得られた音声データとを記憶するメモリと、
移動機構によりディスク状記録媒体の半径方向に移動される記録素子により、前記メモリに記憶された画像データと音声データとを読み出して前記ディスク状記録媒体に記録する記録手段と、
前記メモリに蓄積された前記画像データと音声データのデータ量に基づき、第１の制御プロファイルと、前記第１の制御プロファイルよりも高速に前記記録素子を移動するための第２の制御プロファイルのうちの一つを選択し、前記選択した制御プロファイルに基づいて前記移動機構を制御する制御手段とを備える記録装置。
【請求項３】
前記制御手段は前記メモリに蓄積された画像データと音声データのデータ量が所定量以下の場合には前記第１の制御プロファイルを選択し、前記所定量を越えている場合には前記第２の制御プロファイルを選択することを特徴とする請求項２記載の記録装置。
【請求項４】
前記ディスク状記録媒体から前記画像データと音声データを再生する再生手段を備え、前記制御手段は、前記再生手段により前記画像データと音声データを再生する再生モードにおいては前記第２の制御プロファイルを選択することを特徴とする請求項２記載の記録装置。
【請求項５】
撮像手段と、
マイクロフォンと、
前記撮像手段により得られた画像データと前記マイクロフォンにより得られた音声データとを記憶するメモリと、
ディスク状記録媒体の複数のゾーン毎に異なる回転速度で前記ディスク状記録媒体を回転させ、前記メモリに記憶された画像データと音声データとを読み出して前記ディスク状記録媒体に記録する記録手段と、
前記メモリに蓄積された前記画像データと音声データのデータ量に基づき、第１の制御プロファイルと、二つの前記ゾーン間での回転速度の切り替えに要する時間が前記第１の制御プロファイルよりも短い第２の制御プロファイルのうちの一つを選択し、前記選択した制御プロファイルに基づいて前記ディスク状記録媒体の回転動作を制御する制御手段とを備える記録装置。
【請求項６】
前記制御手段は前記メモリに蓄積された画像データと音声データのデータ量が所定量以下の場合には前記第１の制御プロファイルを選択し、前記所定量を越えている場合には前記第２の制御プロファイルを選択することを特徴とする請求項５記載の記録装置。
【請求項７】
前記ディスク状記録媒体から前記画像データと音声データを再生する再生手段を備え、前記制御手段は、前記再生手段により前記画像データと音声データを再生する再生モードにおいては前記第２の制御プロファイルを選択することを特徴とする請求項２記載の記録装置。
【手続補正２】
【補正対象書類名】明細書
【補正対象項目名】００１１
【補正方法】変更
【補正の内容】
【００１１】
【課題を解決するための手段】
本発明の記録装置の第１の態様は、撮像手段と、マイクロフォンと、装置外部より画像データと音声データとを入力する入力手段と、移動機構により記録素子をディスク状記録媒体の半径方向に移動して、画像データと音声データとを前記ディスク状記録媒体に記録する記録手段と、第１の制御プロファイルと、前記第１の制御プロファイルよりも高速に前記記録素子を移動するための第２の制御プロファイルのうちの一つを選択し、前記選択した制御プロファイルに基づいて前記移動機構を制御する制御手段と、前記制御手段が前記第１の制御プロファイルに従って前記移動機構を制御し、前記撮像手段により得られた画像データと前記マイクロフォンにより得られた音声データとを前記記録手段により前記記録媒体に記録する第１の記録モードと、前記制御手段が前記第２の制御プロファイルに従って前記移動機構を制御し、前記入力手段により得られた画像データと音声データとを前記記録手段により前記記録媒体に記録する第２の記録モードを含む複数のモードの間でモードを設定するモード設定手段とを備える。
本発明の記録装置の第２の態様は、撮像手段と、マイクロフォンと、前記撮像手段により得られた画像データと前記マイクロフォンにより得られた音声データとを記憶するメモリと、移動機構によりディスク状記録媒体の半径方向に移動される記録素子により、前記メモリに記憶された画像データと音声データとを読み出して前記ディスク状記録媒体に記録する記録手段と、前記メモリに蓄積された前記画像データと音声データのデータ量に基づき、第１の制御プロファイルと、前記第１の制御プロファイルよりも高速に前記記録素子を移動するための第２の制御プロファイルのうちの一つを選択し、前記選択した制御プロファイルに基づいて前記移動機構を制御する制御手段とを備える。
本発明の記録装置の第３の態様は、撮像手段と、マイクロフォンと、前記撮像手段により得られた画像データと前記マイクロフォンにより得られた音声データとを記憶するメモリと、ディスク状記録媒体の複数のゾーン毎に異なる回転速度で前記ディスク状記録媒体を回転させ、前記メモリに記憶された画像データと音声データとを読み出して前記ディスク状記録媒体に記録する記録手段と、前記メモリに蓄積された前記画像データと音声データのデータ量に基づき、第１の制御プロファイルと、二つの前記ゾーン間での回転速度の切り替えに要する時間が前記第１の制御プロファイルよりも短い第２の制御プロファイルのうちの一つを選択し、前記選択した制御プロファイルに基づいて前記ディスク状記録媒体の回転動作を制御する制御手段とを備える。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】